(57)【要約】【課題】製造コストを低減すると共に、耐久性を向上させることができる板バネ取付構造およびフェーダを提供すること。【解決手段】往復動可能なスライド部材１３と、スライド部材１３の取付面３１に取り付けられ、スライド部材１３に制動力を付与する作動力調整用板バネ２３とを備え、スライド部材１３は、取付面３１から離間しないように作動力調整用板バネ２３の少なくとも一部を係止する係止部３２と、取付面３１から突出した突出部３３とを有し、作動力調整用板バネ２３は、突出部３３を挟持する一対の挟持突起４２ｃを有し、係止部３２に係止された状態で突出部３３を挟持することでスライド部材１３に取り付けられる構成とした。【選択図】図６
2010171299.tif 000002
【特許請求の範囲】
【請求項１】
往復動可能な作動体と、前記作動体の取付面に取り付けられ、前記作動体に制動力を付与する板バネとを備え、
前記作動体は、前記取付面に前記板バネの少なくとも一部を係止する係止部と、前記取付面から突出した突出部とを有し、
前記板バネは、前記突出部を挟持する挟持部を有し、前記係止部に係止された状態で前記突出部を挟持することで前記作動体に取り付けられることを特徴とする板バネ取付構造。
【請求項２】
前記挟持部は、前記板バネに形成された切欠部の対向する対向面から突出した一対の突起により前記突出部を挟持することを特徴とする請求項１に記載の板バネ取付構造。
【請求項３】
前記作動体は、前記取付面から突出したガイドピンを有し、
前記板バネは、前記ガイドピンに係合するガイド孔を有することを特徴とする請求項１または請求項２に記載の板バネ取付構造。
【請求項４】
前記板バネは、少なくとも一部を前記係止部に形成された隙間に差し込むことで、前記係止部に係止され、
前記ガイド孔は、前記板バネの前記係止部に対する差し込み方向に延在する長孔であることを特徴とする請求項３に記載の板バネ取付構造。
【請求項５】
請求項１から請求項４のいずれかに記載の板バネ取付構造を備えたフェーダ。
【発明の詳細な説明】
【技術分野】
【０００１】
本発明は、板バネ取付構造に関し、特に、ミキサ等の音響機器の音量調整や、劇場等での光量調整に使用されるフェーダに好適な板バネ取付構造に関する。
【背景技術】
【０００２】
従来、ミキサ等の音響機器に搭載されるフェーダにおいて、操作者の操作機能特性を微妙に調整することができる作動力調整機構が提案されている（例えば、特許文献１参照）。この作動力調整機構においては、フェーダの摘みに連動するスライド部材と、このスライド部材を軸方向に摺動案内する案内軸と、カシメによりスライド部材に固着された板バネおよび緩衝材とからなる摩擦手段とを備え、摩擦手段により案内軸を挟み込み、上記板バネの挟み込む挟持力の大きさを調整ネジの操作で外部から任意に調整可能に構成されている。
【先行技術文献】
【特許文献】
【０００３】
【特許文献１】特開２００２−８９０７号公報
【発明の概要】
【発明が解決しようとする課題】
【０００４】
しかしながら、上述したような従来の作動力調整機構においては、摩擦手段をカシメによりスライド部材に取り付けているため、カシメ用の設備が必要となり製造コストが増加するという問題があった。また、カシメ時に発生する熱により摩擦手段が取り付けられたスライド部材に熱応力が発生し、スライド部材が破損して耐久性が悪化するという問題があった。
【０００５】
本発明はこのような実情に鑑みてなされたものであり、製造コストを低減すると共に、耐久性を向上させることができる板バネ取付構造およびフェーダを提供することを目的とする。
【課題を解決するための手段】
【０００６】
本発明の板バネ取付構造は、往復動可能な作動体と、前記作動体の取付面に取り付けられ、前記作動体に制動力を付与する板バネとを備え、前記作動体は、前記取付面に前記板バネの少なくとも一部を係止する係止部と、前記取付面から突出した突出部とを有し、前記板バネは、前記突出部を挟持する挟持部を有し、前記係止部に係止された状態で前記突出部を挟持することで前記作動体に取り付けられることを特徴とする。
【０００７】
この構成によれば、板バネの少なくとも一部が作動体の係止部に係止され、挟持部が作動体の突出部を挟持することで板バネが作動体に取り付けられるため、従来のようにカシメにより板バネを作動体に取り付ける必要がない。したがって、板バネの作動体に対する取り付け時にカシメ用の設備が不要となり、製造コストを低減することができる。また、カシメにより取り付けないため、カシメの熱により作動体が破損することがなく、耐久性を向上させることができる。
【０００８】
また本発明は、上記板バネ取付構造において、前記挟持部を前記板バネに形成された切欠部の対向する対向面から突出した一対の突起で構成することができる。
【０００９】
また本発明は、上記板バネ取付構造において、前記作動体は、前記取付面から突出したガイドピンを有し、前記板バネは、前記ガイドピンに係合するガイド孔を有することを特徴とする。
【００１０】
この構成によれば、ガイドピンにガイド孔を係合させることにより、板バネが作動体の取付面にガイドされるため、板バネの取り付けを容易とすることができる。
【００１１】
また本発明は、上記板バネ取付構造において、前記板バネは、少なくとも一部を前記係止部に形成された隙間に差し込むことで、前記係止部に係止され、前記ガイド孔は、前記板バネの前記係止部に対する差し込み方向に延在する長孔であることを特徴とする。
【００１２】
この構成によれば、ガイドピンにガイド孔を係合させた状態で、板バネの係止部に対する差し込みが許容されるため、板バネを係止部に係止させ易くすることができる。
【００１３】
本発明のフェーダは、上記した板バネ取付構造を備えていることを特徴とする。
【００１４】
この構成によれば、ミキサ等の音響機器の音量調整や、劇場等での光量調整に使用されるフェーダの製造コストを低減すると共に、耐久性を向上させることができる。
【発明の効果】
【００１５】
本発明によれば、製造コストを低減すると共に、耐久性を向上させることができる。
【図面の簡単な説明】
【００１６】
【図１】本発明に係る作動力調整機構の実施の形態を示す図であり、板バネ取付構造が適用されるフェーダの外観斜視図である。
【図２】本発明に係る作動力調整機構の実施の形態を示す図であり、作動力調整機構の外観斜視図である。
【図３】本発明に係る作動力調整機構の実施の形態を示す図であり、スライド部材および作動力調整用板バネの分解斜視図である。
【図４】本発明に係る作動力調整機構の実施の形態を示す図であり、作動力調整用板バネの平面図である。
【図５】本発明に係る作動力調整機構の実施の形態を示す図であり、作動力調整機構による作動力調整を模式的に説明した図である。
【図６】本発明に係る作動力調整機構の実施の形態を示す図であり、作動力調整用板バネの取付方法の一例の説明図である。
【発明を実施するための形態】
【００１７】
以下、本発明の実施の形態について添付図面を参照して詳細に説明する。なお、以下においては、本実施の形態に係る板バネ取付構造を、ミキサ等の音響機器の音量調整や、劇場等での光量調整に使用されるフェーダに適用する場合について説明する。しかしながら、本実施の形態に係る板バネ取付構造の適用対象については、これに限定されるものではなく適宜変更が可能である。
【００１８】
図１を参照して、本発明の実施の形態に係る板バネ取付構造が適用されるフェーダについて説明する。図１は、本発明の実施の形態に係る板バネ取付構造が適用されるフェーダの外観斜視図である。
【００１９】
図１に示すように、本実施の形態に係るフェーダ１は、前面が開口されたケース２と、ケース２の開口に装着されて収容部を形成するカバー３とを備え、ケース２およびカバー３が組み合わされて直方体形状の箱状体をなしている。ケース２の上壁には長手方向に延在するように切欠部２ａが形成され、カバー３に組み合わされてスリットが形成される。
【００２０】
ケース２の長手方向に位置する両側壁には、それぞれ図示上下方向に離間して２つの切欠部２ｂ、２ｃが形成され、上側に位置する切欠部２ｂに第１のシャフト１１が水平に横架され、下側に位置する切欠部２ｃに第２のシャフト１２が水平に横架されている。第１のシャフト１１および第２のシャフト１２にはスライド部材１３が支持されており、スライド部材１３は第１のシャフト１１および第２のシャフト１２に沿って収容部内をスライド可能に収容されている。
【００２１】
スライド部材１３には上方に突出するようにレバー部材１４が設けられており、このレバー部材１４はケース２およびカバー３により形成されるスリットを介して外部に露出される。レバー部材１４の露出部分には図示しない操作摘みが取り付けられ、この操作摘みによりスライド部材１３がスライド方向に操作される。また、スライド部材１３にはフェーダ１の作動力を調整するための作動力調整機構５が組み込まれている。
【００２２】
また、スライド部材１３には略中央部分に磁気抵抗効果素子１７（ＧＭＲ素子）を備える磁気検出部材１５が設けられ、ケース２およびカバー３のスライド部材１３のスライド方向に沿う側壁には、それぞれ内面に薄板状の磁石１８（カバー３に取り付けられた磁石は不図示）が取り付けられている。また、ケース２に取り付けられた磁石１８およびカバー３に取り付けられた磁石は、対向する面がそれぞれ異極に着磁され、スライド方向に沿ってそれぞれ逆方向に傾斜した外形形状を有している。したがって、収納部内にはスライド部材１３の位置によって、磁気抵抗効果素子１７に作用する磁場方向が回転変位するように磁界が形成されている。
【００２３】
磁気抵抗効果素子１７は、作用する磁場方向に応じて電気抵抗値が変化するように構成されている。したがって、磁気抵抗効果素子１７の電気抵抗値に基づく出力信号により、スライド部材１３の位置を検出することが可能となる。また、磁気抵抗効果素子１７は、ＦＰＣ２１（フレキシブルプリント基板）を介して基板２２に接続されており、基板２２に出力信号が出力される。
【００２４】
図２から図４を参照して、本発明の実施の形態に係る作動力調整機構について説明する。図２は、本発明の実施の形態に係る作動力調整機構の外観斜視図である。図３は、本発明の実施の形態に係るスライド部材および作動力調整用板バネの分解斜視図である。図４は、本発明の実施の形態に係る作動力調整用板バネの平面図である。
【００２５】
図２および図３に示すように、作動力調整機構５は、スライド部材１３および第１のシャフト１１と、スライド部材１３のカバー３側の側面に取り付けられる作動力調整用板バネ２３と、作動力調整用板バネ２３に押圧されて第１のシャフト１１に押し付けられる制動板２４と、作動力調整用板バネ２３の制動板２４に対する押圧力を調整するカム２５とを備えている。
【００２６】
スライド部材１３の上部には第１のシャフト１１が挿通される挿通路２７がスライド方向に延在して形成されており、スライド方向の両端部分を除く中間部分のカバー３側が開口されている。スライド部材１３の挿通路２７の下方にはカム２５が収容されるカム収容部２８が形成されており、カバー３側を開口した凹部を構成している。また、カム収容部２８には、カム２５をカバー側から支持する押え部２８ａが形成されており、この押え部２８ａによりカム２５の脱落が防止される。
【００２７】
カム収容部２８の下方には作動力調整用板バネ２３が取り付けられる板バネ取付部２９が形成されている。板バネ取付部２９は、作動力調整用板バネ２３の板面に平面接触する取付面３１からカバー３側に突出した係止部３２、突出部３３、ガイドピン３４とから構成されている。係止部３２、突出部３３、ガイドピン３４は、図示左右方向に間隔を空けて一列に設けられており、係止部３２および突出部３３は取付面３１の図示左右方向の両端側に位置し、ガイドピン３４は係止部３２と突出部３３との略中間に位置している。
【００２８】
係止部３２は、突出部３３に対向する側が部分的に切り欠かれて取付面３１との間に隙間３２ａが形成されており、この隙間３２ａに作動力調整用板バネ２３の一部が差し込まれることで作動力調整用板バネ２３を係止している。また、係止部３２の隙間３２ａは作動力調整用板バネ２３の板厚と略同一の大きさに形成されているため、作動力調整用板バネ２３の一部が係止部３２と取付面３１との間で確実に挟持されて取付面３１から離間するのが防止される。
【００２９】
突出部３３は、直方体状に形成されており、図示上下方向に位置する上面および下面が作動力調整用板バネ２３の後述する一対の挟持突起４２ｃに両側から挟持されるように構成されている。また、突出部３３の上下方向の幅は、作動力調整用板バネ２３の一対の挟持突起４２ｃに挟持された状態で、作動力調整用板バネ２３が外れない程度の大きさを有している。
【００３０】
制動板２４は、挿通路２７の中間部分の開口を覆うように配設されており、第１のシャフト１１の外周面に当接している。制動板２４の第１のシャフト１１との当接面は、第１のシャフト１１の外周面と相補形状となるように形成されている。また、制動板２４のカバー３側の面には作動力調整用板バネ２３からの押圧力を受ける周面部２４ａが僅かに突出して形成されている。
【００３１】
カム２５は、カム収容部２８に収容されており、円柱状に形成された回転体２５ａと、回転体２５ａの一端面から突出し、回転体２５ａの回転軸に対して偏芯した位置に設けられた駆動ピン２５ｂとから構成されている（図５参照）。また、回転体２５ａには回転軸上において他端面側から内部に向かって六角穴が形成されており、この六角穴にはケース２の外側から六角レンチが差し込まれる。駆動ピン２５ｂは、回転体２５ａの回転軸に対して偏芯した位置に設けられており、回転体２５ａの回転に応じて周回移動する。
【００３２】
作動力調整用板バネ２３は、板バネ取付部２９に固定される平面部３６と、平面部３６からカム２５に向かって延出してカム２５の回転体２５ａと接触する接触片３７と、平面部３６から制動板２４に向かって延出して制動板２４の周面部２４ａを押圧する押圧片３８とを有している。また、作動力調整用板バネ２３には、押圧片３８に対して垂直に立ち上がりカム２５の駆動ピン２５ｂに牽引される牽引片３９が設けられている。
【００３３】
牽引片３９は、中央に矩形状の孔部３９ａが形成されており、この孔部３９ａに駆動ピン２５ｂが挿通される。そして、カム２５の回転体２５ａを回転させて、回転体２５ａの編芯位置に設けられた駆動ピン２５ｂが周回移動することより、駆動ピン２５ｂに牽引片３９が牽引されて作動力調整用板バネ２３が変形し、制動板２４における制動力を変化させることが可能となる。
【００３４】
また、図４に示すように、平面部３６は、図示左右方向の両端が矩形状に切り欠かれて切欠部４１、４２が形成され、切欠部４１、４２の中間にガイド孔４３が形成されている。接触片３７側の切欠部４１は、奥面４１ａが係止部３２の隙間３２ａに差し込まれることで、平面部３６の一部を係止部３２に係止させる。すなわち、切欠部４１の奥面４１ａに直交する上面４１ｂと下面４１ｃとの間隔は、係止部３２の上下方向の寸法と略同一に形成され、切欠部４１内に係止部３２の侵入を許容するように構成されている。
【００３５】
押圧片３８側の切欠部４２は、対向する上面４２ａおよび下面４２ｂからそれぞれ一対の挟持突起４２ｃが突出して形成されており、この一対の挟持突起４２ｃによりスライド部材１３の突出部３３が挟持される。すなわち、切欠部４２の上面４２ａと下面４２ｂとの間隔は、突出部３３の上下方向の寸法よりも僅かに大きく形成されており、一対の挟持突起４２ｃはこの寸法差を埋める程度に突出している。
【００３６】
なお、一対の挟持突起４２ｃの突出長は、切欠部４２の上面４２ａと下面４２ｂとの間隔と突出部３３の上下方向の寸法との寸法差よりも、やや大きい構成としてもよい。この構成により、一対の挟持突起４２ｃで突出部３３を確実に挟持することが可能となる。
【００３７】
ガイド孔４３は、図示左右方向に延在する長孔であり、このガイド孔４３にガイドピン３４が挿入されることで、上下方向の移動を規制しつつ、作動力調整用板バネ２３の係止部３２の隙間３２ａに対する差し込みを許容している。このような構成により、作動力調整用板バネ２３は板バネ取付部２９の適切な取付位置にガイドされる。
【００３８】
ここで、図５を参照して、本発明の実施の形態に係る作動力調整機構による作動力調整について簡単に説明する。図５は、本発明の実施の形態に係る作動力調整機構による作動力調整を模式的に説明した図であり、（ａ）はカムの駆動ピンが作動力調整用板バネに接近した接近位置にある状態を示し、（ｂ）はカムの駆動ピンが接近位置から離間した離間位置にある状態を示している。なお、図５においては、制動板による制動力を矢印の大きさで表わしている。
【００３９】
図５（ａ）、（ｂ）に示すように、駆動ピン２５ｂは作動力調整用板バネ２３に接近した接近位置と接近位置から離間した離間位置との間で周回移動可能に構成されている。図５（ａ）に示すように、カム２５の駆動ピン２５ｂが接近位置にある場合においては、駆動ピン２５ｂに牽引片３９が牽引されない。したがって、牽引片３９に連なる押圧片３８により制動板２４が押圧されないため、制動板２４における制動力が最少となる。
【００４０】
一方、図５（ｂ）に示すように、カム２５の駆動ピン２５ｂが離間位置にある場合においては、牽引片３９が駆動ピン２５ｂに牽引されて同図に示す右方向に引き出される。これに伴い、牽引片３９に連なる押圧片３８も同図に示す右方向に引き出されて制動板２４を押圧し、制動板２４における制動力が最大となる。このように、カム２５を回転させることにより、作動力を調整することが可能となっている。
【００４１】
次に、図６を参照して、作動力調整用板バネの取付方法の一例について説明する。図６は、作動力調整用板バネの取付方法の一例の説明図である。なお、図６においては、説明の便宜上、作動力調整用板バネおよびスライド部材の一部分のみ図示している。
【００４２】
先ず、図６（ａ）に示すように、作動力調整用板バネ２３のガイド孔４３の延在方向の略中間がスライド部材１３のガイドピン３４に挿通するように位置合わせする。このとき、作動力調整用板バネ２３の切欠部４１内にスライド部材１３の係止部３２の一部が位置すると共に、作動力調整用板バネ２３の一部が突出部３３に乗り上げている。
【００４３】
次に、この状態から、作動力調整用板バネ２３を矢印Ａに示す方向にスライドさせながら、スライド部材１３の取付面３１に向けて押し込むと、図６（ｂ）に示すように、切欠部４１の奥面４１ａが係止部３２の隙間３２ａに差し込まれると共に、切欠部４２内に突出部３３が露出し、切欠部４２から突出した一対の挟持突起４２ｃが突出部３３を両側から挟持する。このように、作動力調整用板バネ２３は、切欠部４１が係止部３２に係止され、切欠部４２の一対の挟持突起４２ｃにより突出部３３を挟持することで、スライド部材１３に取り付けられる。
【００４４】
このようにして作動力調整用板バネ２３が取り付けられたフェーダ１において、本件出願人が所定の環境において長時間の耐久性試験を行ったところ、十分な耐久性を有する結果を得ることができた。
【００４５】
以上のように、本実施の形態に係る板バネ取付構造によれば、作動力調整用板バネ２３の一部がスライド部材１３の係止部３２に係止され、一対の挟持突起４２ｃがスライド部材１３の突出部３３を挟持することで作動力調整用板バネ２３がスライド部材１３に取り付けられるため、従来のようにカシメにより作動力調整用板バネ２３をスライド部材１３に取り付ける必要がない。したがって、作動力調整用板バネ２３のスライド部材１３に対する取り付け時にカシメ用の設備が不要となり、製造コストを低減することが可能となる。また、カシメにより取り付けないため、カシメの熱によりスライド部材１３が破損することがなく、耐久性を向上させることが可能となる。
【００４６】
なお、上記した実施の形態においては、作動力調整用板バネ２３に形成された切欠部４１を係止部３２で係止する構成としたが、この構成に限定されるものではない。作動力調整用板バネ２３の少なくとも一部が係止される構成であればよく、例えば、切欠部４１を形成せずに平面部３６の外縁部を係止部３２により係止する構成としてもよい。
【００４７】
また、上記した実施の形態においては、作動力調整用板バネ２３の切欠部４２に形成された一対の挟持突起４２ｃでスライド部材１３の突出部３３を挟持する構成としたが、この構成に限定されるものではない。スライド部材１３の突出部３３を挟持する構成であればよく、例えば、切欠部４２の対向面を内向きに膨出した湾曲面で形成し、この湾曲面で突出部３３を挟持する構成としてもよい。
【００４８】
また、上記した実施の形態においては、作動力調整用板バネ２３に形成されたガイド孔４３およびスライド部材１３に設けられたガイドピン３４により、作動力調整用板バネ２３をスライド部材１３の所定の位置にガイドする構成としたが、この構成に限定されるものではない。作動力調整用板バネ２３をガイドする構成であればよく、例えば、作動力調整用板バネ２３にガイドピンを形成し、このガイドピンに係合するガイド孔をスライド部材１３に形成する構成としてもよい。
【００４９】
また、上記した実施の形態においては、作動力調整用板バネ２３をスライド部材１３の所定の位置にガイドする構成としたが、ガイドしない構成としてもよい。この構成により、ガイド孔およびガイドピンが不要となり、製造コストを低減することが可能となる。
【００５０】
また、上記した実施の形態においては、作動力調整用板バネ２３に牽引片３９を形成してフェーダ１の作動力を調整する構成としたが、この構成に限定されるものではない。フェーダ１の作動力を調整する構成であれば、どのような構成であってもよい。
【００５１】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５２】
以上説明したように、本発明は、製造コストを低減すると共に、耐久性を向上させることができるという効果を有し、特に、ミキサ等の音響機器の音量調整や、劇場等での光量調整に使用されるフェーダに好適な板バネ取付構造に有用である。
【符号の説明】
【００５３】
１  フェーダ
２  ケース
３  カバー
５  作動力調整機構
１３  スライド部材（作動体）
２３  作動力調整用板バネ（板バネ）
２９  板バネ取付部
３１  取付面
３２  係止部
３２ａ  隙間
３３  突出部
３４  ガイドピン
３６  平面部
３７  接触片
３８  押圧片
３９  牽引片
３９ａ  孔部
４２ｃ  挟持突起（突起）
４３  ガイド孔
【図１】
2010171299.tif 000003
【図２】
2010171299.tif 000004
【図３】
2010171299.tif 000005
【図４】
2010171299.tif 000006
【図５】
2010171299.tif 000007
【図６】
2010171299.tif 000008